(57)【要約】  プレゼンテーションを強化するための方法、サーバ、およびポインティング・デバイス。本発明は、−  スクリーン（１０１）に表示されるべきプレゼンテーションの画像を、特に、表示デバイス（１００）に、ネットワーク・デバイス（１０８）を介して送るステップ（２０２）と、−  画像が表示されている間、ポインティング・デバイス（１１０）から、スクリーン（１０１）に対するポインティング・デバイス（１１０）の照準に関する情報を受け取るステップ（２０３、２０４）と、−  受け取った情報に応じて実行されるべき所定の動作を決定するステップ（２０５、２０６、２１２）と、−  所定の動作の結果を、特に、表示デバイス（１００）に、ネットワーク・デバイス（１０８）を介して送るステップ（２０８）とを含むプレゼンテーションを行う方法に関する。
2015527659.tif 000002
【特許請求の範囲】
【請求項１】
プレゼンテーションを行う方法であって、
−  スクリーン（１０１）に表示されるべき前記プレゼンテーションの画像を、特に、表示デバイス（１００）に、ネットワーク・デバイス（１０８）を介して送るステップ（２０２）と、
−  前記画像が表示されている間、ポインティング・デバイス（１１０）から、前記スクリーン（１０１）に対する前記ポインティング・デバイス（１１０）の照準に関する情報を受け取るステップ（２０３、２０４）と、
−  前記受け取った情報に応じて実行されるべき所定の動作を決定するステップ（２０５、２０６、２１２）と、
−  前記所定の動作の結果を、特に、前記表示デバイス（１００）に、前記ネットワーク・デバイス（１０８）を介して送るステップ（２０８）と
を含む、プレゼンテーションを行う方法。
【請求項２】
前記ポインティング・デバイス（１１０）が指し示している前記画像上の位置が、前記ポインティング・デバイス（１１０）の前記照準から決定される（２０４）、請求項１に記載の方法。
【請求項３】
前記照準が、所定の水平方位（ＭａｘθＨ）および垂直方位（ＭａｘθＶ）に対する前記ポインティング・デバイス（１１０）の水平方位角度（θＨ）および垂直方位角度（θＶ）から決定される（２０４）、請求項１または２に記載の方法。
【請求項４】
前記所定の水平および垂直方位が、それぞれ、前記ポインティング・デバイス（１１０）の位置からの前記スクリーン（１０１）の水平先端間および垂直先端間の角度に対応する最大水平角度（ＭａｘθＨ）および最大垂直角度（ＭａｘθＶ）である、請求項３に記載の方法。
【請求項５】
前記最大水平角度（ＭａｘθＨ）および前記最大垂直角度（ＭａｘθＶ）は、較正画像が前記スクリーン（１０１）に表示されている間に前記ポインティング・デバイス（１１０）から受け取った情報から決定される、請求項４に記載の方法。
【請求項６】
前記所定の動作が、新しい画像を決定する（２０７）ことである、請求項１乃至５のいずれか１項に記載の方法。
【請求項７】
前記新しい画像は、前記画像と、前記ポインティング・デバイス（１１０）が前記表示された画像上で指し示している前記位置で表示されたポインタを表す記号とから構成される、請求項６に記載の方法。
【請求項８】
前記新しい画像は、前記画像と、前記ポインティング・デバイス（１１０）が前記表示された画像上で指し示している前記位置に応じて決定される強調区域とから構成される、請求項６に記載の方法。
【請求項９】
前記新しい画像が、サイズ変更された前記画像の少なくとも一部として決定される、請求項６に記載の方法。
【請求項１０】
前記動作が、ビデオを表示することである、請求項１乃至５のいずれか１項に記載の方法。
【請求項１１】
プレゼンテーションを行うためのサーバ（１０２）であって、
−  スクリーン（１０１）に表示されるべき前記プレゼンテーションの画像を、特に、出力デバイスを介して表示デバイス（１００）に送り、およびネットワーク・デバイス（１０８）を介して顧客またはレコーダに送り（２０２）、
−  前記画像が表示されている間、特に、入力デバイスを介して、ポインティング・デバイス（１１０）から、前記スクリーン（１０１）に対する前記ポインティング・デバイス（１１０）の照準に関する情報を受け取り（２０３、２０４）、
−  特に、プロセッサによって、前記受け取った情報に応じて実行されるべき所定の動作を決定し（２０５、２０６、２１２）、
−  前記所定の動作の結果を、特に、前記出力デバイスを介して前記表示デバイス（１００）に送り、および前記ネットワーク・デバイス（１０８）を介して前記顧客または前記レコーダに送る（２０８）
ように動作可能である、プレゼンテーションを行うためのサーバ（１０２）。
【請求項１２】
前記プロセッサが、前記ポインティング・デバイス（１１０）が指し示している前記画像上の位置を前記ポインティング・デバイス（１１０）の前記照準から決定する（２０４）ように構成される、請求項１１に記載のサーバ（１０２）。
【請求項１３】
前記照準が、所定の水平および垂直方位に対する前記ポインティング・デバイス（１１０）の水平方位角度（θＨ）および垂直方位角度（θＶ）から決定される（２０４）、請求項１０または１１に記載のサーバ（１０２）。
【請求項１４】
前記所定の動作が、新しい画像を決定する（２０７）ことである、請求項１１乃至１３のいずれか１項に記載のサーバ（１０２）。
【請求項１５】
前記新しい画像は、前記画像と、前記ポインティング・デバイス（１１０）が前記表示された画像上で指し示している前記位置で表示されたポインタを表す記号とから構成される、請求項１４に記載のサーバ（１０２）。
【請求項１６】
前記新しい画像は、前記画像と、前記ポインティング・デバイス（１１０）が前記表示された画像上で指し示している前記位置に応じて決定される強調区域とから構成される、請求項１４に記載のサーバ（１０２）。
【請求項１７】
前記新しい画像が、サイズ変更された前記画像の少なくとも一部として決定される、請求項１４に記載のサーバ（１０２）。
【請求項１８】
前記動作が、ビデオを表示することである、請求項１０乃至１４のいずれか１項に記載のサーバ（１０２）。
【発明の詳細な説明】
【技術分野】
【０００１】
本発明は、プレゼンテーションを強化するための方法、サーバ、およびポインティング・デバイスに関する。
【背景技術】
【０００２】
レーザ・ポインタは、発表者と同じ部屋にいる聴衆へのプレゼンテーションの間使用される。レーザ・ポインタは、例えば、発表者が、現在示しているプレゼンテーション・スライドの中で強調したい区域を示すため赤色の点を示す。
【０００３】
多地点プレゼンテーションにおいて、レーザ・ポインタは、発表者がプレゼンテーションを提示している地点でしか見ることができない。遠方地点と呼ばれるすべての他の地点は発表者がレーザ・ポインタで指し示している強調区域を見ることができないことになる。
【０００４】
その上、ユーザの手を検出するカメラに基づくポインティング・システムを提供するために、カメラ・ベースのポインティング・インタフェースが開発されている。しかしながら、そのようなシステムは、輝度状況に非常に敏感であり、スライドの表示内容と動的に対話することができない。
【０００５】
無線コンピュータ・マウスを使用して、プレゼンテーションにおいてマウス・ポインタを移動させることができる。しかしながら、プレゼンテーションの間のコンピュータ・マウスの操作は、使いにくく、遅い。
【発明の概要】
【発明が解決しようとする課題】
【０００６】
したがって、本発明の目的は、改善された多地点プレゼンテーション・システムを提供することである。
【課題を解決するための手段】
【０００７】
本発明の主要な着想は、プレゼンテーションを行うために、スクリーンに表示されるべきプレゼンテーションの画像を、特に、表示デバイスに、ネットワーク・デバイスを介して送り、画像が表示されている間、ポインティング・デバイスから、スクリーンに対するポインティング・デバイスの照準に関する情報を受け取り、受け取った情報に応じて実行されるべき所定の動作を決定し、所定の動作の結果を、特に、表示デバイに、ネットワーク・デバイスを介して送ることである。このように、所定の動作が発表者への制約なしに決定され、所定の動作の結果は、スクリーン上のプレゼンテーションを見ている現地の聴衆、ならびにネットワークを介してプレゼンテーションを見ている遠方の顧客に提供される。
【０００８】
ポインティング・デバイスが指し示している画像上の位置は、ポインティング・デバイスの照準から決定されるという有利がある。これにより、使用されるべきである現在表示されている画像上の位置を容易に決定することが可能となる。
【０００９】
照準は、所定の水平方位および所定の垂直方位に対するポインティング・デバイスの水平方位角度および垂直方位角度から決定されるという有利がある。これにより、照準を決定する簡単な方法が提供される。
【００１０】
所定の水平方位および所定の垂直方位は、それぞれ、ポインティング・デバイスの位置からのスクリーンの水平先端間および垂直先端間の角度に対応する最大水平角度および最大垂直角度であるという有利がある。これにより、スクリーンに関するポインティング・デバイスの照準の計算がさらに簡単になる。
【００１１】
最大水平角度および最大垂直角度は、較正画像がスクリーンに表示されている間にポインティング・デバイスから受け取った情報から決定されるという有利がある。これにより、プレゼンテーション・システムの使用が簡単になり、プレゼンテーション・システムの性能が改善される。
【００１２】
所定の動作は、新しい画像を決定することであるという有利がある。新しい画像は、ポインティング・デバイスが、表示された画像上で指し示している位置で表示されたポインタを表す記号、ポインティング・デバイスが、表示された画像上で指し示している位置に応じて決定された強調区域、またはサイズ変更された元の画像の少なくとも一部として決定された新しい画像を含む。このように、ポインティング・デバイスが指し示している区域での動作は、プレゼンテーションに容易に統合される。
【００１３】
本発明のさらなる展開は、従属請求項および以下の説明から推測することができる。
【００１４】
以下では、本発明が添付図面を参照してさらに説明される。
【図面の簡単な説明】
【００１５】
【図１】プレゼンテーションを行うためのシステムを概略的に示す図である。
【図２】プレゼンテーションを行う方法の流れ図を概略的に示す図である。
【発明を実施するための形態】
【００１６】
図１は、ポインタをデジタル化し、それを遠方の聴衆、現地の聴衆のためにおよび視聴の記録のために同時に利用できるようにするのに適合可能なポインティング・システムを示す。
【００１７】
このシステムは、例えば、プレゼンテーション・スライドなどの画像の内容を分析し、画像をデジタル化ポインタと組み合わせて、ポインタがプレゼンテーション・スライド上で現在指し示している区域を強調または強化すること、現在表示されている画像のビデオまたはサイズ変更した部分を表示することなどの所定の動作を実行する。
【００１８】
このシステムは、スクリーン１０１をもつ表示デバイス１００、サーバ１０２、およびポインティング・デバイス１１０を含む。
【００１９】
サーバ１０２は、表示器１００のデータ入力部１０５に接続可能なデータ出力部１０３を含む。図１に示すように、データ出力部１０３とデータ入力部１０５とはデータ・リンク１０４を介して接続されうる。データ・リンク１０４を介したデータ交換は、例えば、ＶＧＡとしてよく知られているアレイ・システムのビデオ・グラフィックスまたはＨＤＭＩとしてよく知られている高品位マルチメディア・インタフェースに基づく。例えば、個々の画像はデータ・リンク１０４を介して交換される。
【００２０】
スクリーン１０１をもつ表示デバイス１００を使用する代わりに、画像を映写するのにプロジェクタを使用することができる。どんな場合でも、スクリーン１０１のサイズは、高さｖと長さｈとで決定される。
【００２１】
表示デバイス１００は、データ入力部１０５で受け取った画像を表示するためにスクリーン１０１を制御するように動作可能なプロセッサ１０６を含む。
【００２２】
サーバ１０２は、表示デバイス１００に送るべき画像を決定するように動作可能なプロセッサ１０７を含む。
【００２３】
それゆえに、プロセッサ１０６、プロセッサ１０７、データ出力部１０３、およびデータ入力部１０５は、一緒に、データ・リンク１０４を介して特定の画像のデータを送信するように働く。
【００２４】
サーバ１０２は、出力デバイス１０３を介して送信される同じ画像を任意の接続されている顧客に送信するように動作可能なネットワーク・デバイス１０８を含む。画像は、データを送信するのに好適な任意のフォーマットにより、例えば、よく知られたＭＰＥＧ４フォーマットを使用してネットワーク・デバイス１０８を介して送信することができる。代わりに、画像を送信するための任意の他のフォーマットを使用することができる。特に、画像は、出力の前に任意の好適なフォーマットに変換することができる。
【００２５】
その上、サーバ１０２は、ポインティング・デバイス１１０の出力デバイス１１１を介してポインティング・デバイス１１０に接続することができる入力デバイス１０９を含む。入力デバイス１０９と出力デバイス１１１とは、一緒に、ポインティング・デバイス１１０とサーバ１０２との間でデータを無線データ・リンクを介して送信するように働く。例えば、データ転送はＩＥＥＥ８０２．１１ｎ規格を使用して実行される。任意の他のタイプのデータ・リンク、例えば、有線データ・リンクを使用することができる。赤外線データ・リンクまたはブルートゥース・データ・リンクを同様に使用することができる。
【００２６】
ポインティング・デバイス１１０は、空間におけるセンサの方位に関する情報を感知するように動作可能なセンサ１１２を含む。例えば、センサ１１２は、絶対位置トランスデューサまたは方位センサである。
【００２７】
その上、サーバ１０２には、ポインティング・デバイス１１０の位置および方位を決定し、それをサーバ１０２に送るように動作可能なプロセッサ１１３が含まれる。その目的のために、プロセッサ１１３は、センサ１１２によって感知されたデータからポインティング・デバイス１１０の位置および方位を決定ように構成される。
【００２８】
その上、ポインティング・デバイス１１０は、ユーザ・インタフェース、例えば、ポインティング・デバイス１１０を保持するユーザが押すことができるボタン１１４を含む。ボタン１１４は、例えば、２つの状態、すなわち、押された状態および押されていない状態を有する。その上、プロセッサ１１３は、ボタン１１４の状態、特に、ボタンが押されているかまたは押されていないかを決定し、その情報を出力デバイス１１１を介してサーバ１０２に送るように構成される。
【００２９】
サーバ１０２、ポインティング・デバイス１１０、および表示デバイス１００は、一緒に、ポインティング・デバイス１１０から受け取った入力からサーバ１０２によって決定された画像を表示し、画像をポインティング・デバイスに関する情報と一緒にスクリーン１０１に表示するように働く。
【００３０】
現地の聴衆ならびに遠方の聴衆またはレコーダがデジタル化ポインタを利用できるようにすることによってプレゼンテーションを強化する方法が、図２の流れ図を参照して以下で説明される。
【００３１】
この方法は、例えば、サーバ１０２がオンにされるときはいつでも始まる。
【００３２】
開始の後、ステップ２０１が実行される。
【００３３】
ステップ２０１において、システムは較正される。その目的のために、サーバ１０１は、前もってサーバ１０１においてメモリに記憶された較正画像を決定し出力する。
【００３４】
較正画像は、ポインティング・デバイス１１０のユーザに命令を示す。これらの命令は、ポインティング・デバイスをスクリーン１０１の左下隅からスクリーン１０１の右下隅まで、およびその後スクリーン１０１の左下隅から左上隅まで移動させるように発表者に要求する。移動の順序は変わることが可能であり、スクリーン１０１の２つの水平先端とスクリーン１０１の２つの垂直先端とを接続する軸を使用して、ポインティング・デバイスによって覆われる最大寸法を決定する。先端の間を移動している間ボタン１１４を押して保持していることが、較正のための関連データを決定するために要求されモニタされうる。例えば、発表者の位置に関連した、ポインティング・デバイス１１０からスクリーンの先端端部までの２つの接続線間の角度が、スクリーン１０１のサイズを説明するために使用される。図１に示すように、最大角度は、それぞれ、水平先端および垂直先端に対してＭａｘθＨおよびＭａｘθＶとラベル付けされる。
【００３５】
この情報は、例えば、ポインティング・デバイス１１０から受け取った位置および方位データからプロセッサ１０７によって決定される。最大角度は、サーバ１０２でのさらなる処理のために記憶される。ステップ２０１、すなわち、較正は、オプションとするか、またはメモリからの較正データを読むステップに取り替えることができる。較正の後、ステップ２０２が実行される。
【００３６】
ステップ２０２において、画像がサーバ１０２によって決定され、データ出力１０３を介して表示デバイス１００に送られる。画像は、例えば、プレゼンテーションの第１のスライドである。同時に、画像は、ネットワーク・デバイス１０８を介して任意の接続されている顧客に送られる。オプションとして、フォーマット変換が、画像出力の前に実行される。これは、スクリーン１０１に表示されるべきプレゼンテーションの画像が、表示デバイス１００におよびネットワーク・デバイス１０８を介して送られることを意味する。その後、ステップ２０３が実行される。
【００３７】
ステップ２０３において、ステップ２０２で送られた画像が表示されている間に、スクリーン１０１に対するポインティング・デバイス１１０の照準と、ボタン１１４の状態とに関する情報がポインティング・デバイス１１０から受け取られる。その上、この例によれば、ボタン１１４が押されているかどうかを決定するために試験が実行される。例えば、ボタン１１４の状態を示す情報から、ボタン１１４が押されているかどうかが決定される。ボタンが押されている場合、ステップ２０４が実行される。そうでない場合は、ステップ２０９が実行される。
【００３８】
ステップ２０４において、ポインティング・デバイス１１０の位置および方位が決定される。その目的のために、例えば、ポインティング・デバイス１１０の角度位置および方位が、図１に示すように、水平角度θＨおよび垂直角度θＶとして決定される。ポインティング・デバイスの移動は、例えば、θＨとＭａｘθＨとの間の比と、θＶとＭａｘθＶとの比とを計算することによって決定される。これは、ポインティング・デバイス１１０が指し示している画像上の位置がポインティング・デバイス１１０の照準から決定されることを意味する。その上、これは、照準が、所定の水平方位ＭａｘθＨおよび垂直方位ＭａｘθＶに対するポインティング・デバイス１１０の水平方位角度θＨおよび垂直方位角度θＶから決定されることを意味する。その後、ステップ２０５が実行される。
【００３９】
ステップ２０５において、所定の動作が発表者によって引き起こされているかどうかが決定される。その目的のために、ポインティング・デバイス１１０の位置および方位ならびに移動が分析されて、所定の動作を示す所定のパターンが検出される。例えば、サーバ１０２にセーブされた所定の発表者の選好に基づいて、ポインタがスクリーン１０１に表示された所定の内容を指し示している場合、動作を実行しなければならないことが決定される。追加としてまたは代替として、例えば、円または長方形を形成する同じ区域を指し示している期間またはある期間にわたる角度の変化を使用して、動作を実行すべきかどうかを決定することができる。所定の動作を引き起こさなければならないことが決定されると、ステップ２１２が実行される。そうでない場合は、ステップ２０６が実行される。
【００４０】
ステップ２１２において、所定の動作が実行される。これは、受け取った情報に応じて実行されるべき所定の動作が決定されることを意味する。以下では、これが、例示的な場合で説明される。
【００４１】
例えば第１の場合では、指し示されている区域の下にある内容がビデオである場合、画像の所定の位置を指し示す所定の量の時間の後、ビデオを再生し始めることができる。この場合、ビデオ全体を表示することができ、所定の動作の結果として、ビデオの最後の画像が動作の結果と決定される。代替として、スクリーン１０１に表示された画像の所定の位置の下にある区域が別の画像を含んでいる場合、動作によって、角度のモニタリングから検出された移動に応じて画像のサイズを大きくすることができる。その場合、動作の結果はサイズ変更された画像である。
【００４２】
第２の場合では、動作は、勾配情報を分析することによって、画像に示されたスライド上の描画をより平滑にすること、または描画をスライド内容に嵌め込むことである。この場合、結果は平滑化されたまたは嵌め込まれた画像である。
【００４３】
第３の場合では、スクリーン１０１の一部が、スクリーン１０１上の画像のうちの指し示めされた区域および残りの区域の分析の結果に応じて強調される。例えば、図１に示したように、プレゼンテーション・スライドは画像に表示される。ここで、強調される単語が、ポインティング・デバイス１１０で指し示される。この場合結果は、強調される単語のまわりのボックスであり、強調される単語は、強調される単語がスクリーン１０１のこの区域で表示された唯一の単語であることを決定することによってスクリーン１０１上で強調すべき区域として自動的に識別される。
【００４４】
その後、ステップ２０７が実行される。
【００４５】
ステップ２０６において、ポインタ画像、例えば、赤色ドットのようなポインタを表す記号が、ポインタが指し示している位置に表示されるように決定される。これは、受け取った情報に応じて実行されるべき所定の動作がポインタをポインタ画像としてデジタル化していることを意味する。動作の結果はポインタ画像である。オプションとして、ステップ２０６は、どんな場合でも、ボタン１１４が押されたという情報が得られるとすぐに決定される。例えば、ステップ２０６をステップ２０５の前に実行して、発表者が画像上で案内するのを助ける。その後、ステップ２０７が実行される。
【００４６】
ステップ２０７において、表示されるべき新しい画像が、元々表示されていた画像から決定される。動作の結果は、元の画像に統合され、それの代わりに使用される。例えば、ポインタが、ステップ２０６で決定されたポインタ画像を使用してデジタル化される、すなわち、表示されるか、またはサイズ変更された画像が元の画像の代わりに使用される。その後、ステップ２０８が実行される。
【００４７】
ステップ２０８において、新しい画像、すなわち、動作の結果が、表示デバイス１００におよびネットワーク・デバイス１０８を介して送られて、表示される。その後、ステップ２０９が実行される。
【００４８】
ステップ２０９において、ボタン１１４が押されているかどうかの試験が実行される。この試験は、ステップ２０３で説明したようにボタンが依然として押されているかどうかを決定することを含む。ボタン１１４が押されている場合には、ステップ２０４が実行され、そうでない場合はステップ２１０が実行される。
【００４９】
ステップ２１０において、動作の結果またはポインティング画像のない元の画像が表示される。その後、ステップ２１１が実行される。
【００５０】
ステップ２１１において、次の画像が表示されるべきかどうかの試験が実行される。次の画像が表示されるべきである場合には、ステップ２０２が実行され、そうでない場合はステップ２１１が実行される。次の画像が表示されるべきであるかどうかを決定するために、サーバ１０２は、時によってストーリーボードまたはプレゼンテーションの所定の組の画像に従うことができる。
【００５１】
代替としてまたは追加として、サーバ１０２は、プレゼンテーションの次の画像または次のスライドを表示すべきであることを示すユーザ入力をモニタすることができる。
【００５２】
この方法は、例えば、ユーザ入力をモニタすることによって、またはストーリーボードの画像のうちの最後の画像が再生されたときに終了することができる。
【００５３】
上述のステップでの画像の表示することは、画像がサーバ１０２から送られてスクリーン１０１に表示されることを意味し、さらに、例えば、画像をネットワーク・デバイス１０８を介して表示器を備えた顧客のコンピュータに適切なフォーマットで送ることによって遠方の聴衆が画像を同時に利用できるようになることを意味することができる。
【００５４】
追加としてまたは代替として、元の画像と一緒にすべての新しい画像を記憶するために、データ・レコーダをサーバ１０２に接続することができ、またはサーバ１０２の一部としてインストールすることができる。例えば、記録される画像は、例えばある期間にわたる一連の画像としてプレゼンテーションとともに保存することができる。このように、プレゼンテーションの再生は、元のプレゼンテーションの他に発表者のポインティングに関する同じ情報を備えることができる。
【００５５】
上述の方法の様々な部分は、サーバ１０２で、または部分的にサーバ１０２で、および部分的にポインティング・デバイス１１０で実行することができる。特に、位置および方位、角度、すなわち、θＨ、θＶ、ＭａｘθＨ、ＭａｘθＶの決定は、ポインティング・デバイス１１０で実行することができる。この場合、プロセッサ１１３は、センサ１１２からの信号を評価してそれぞれの角度を決定し、その角度に関する情報をサーバ１０２に出力１１１を介して送るように構成される。
【００５６】
説明および図面は、本発明の原理を単に示す。したがって、本明細書に明確に説明または図示されていないが、本発明の原理を具現化し、本発明の趣旨および範囲内に含まれる様々な構成を当業者が考案できるであろうことが十分理解されよう。その上、本明細書に記載されたすべての例は、主に、本発明の原理および発明者によって当技術分野の促進に寄与される概念を読者が理解するのを助ける教育的目的のためのみのものであることが明確に意図され、そのような具体的に記載された例および条件に限定されないものとして解釈されるべきである。さらに、本発明の原理、態様、および実施形態、ならびにその特定の例を本明細書で記載するすべての記述は、その均等物を包含するように意図される。
【００５７】
「プロセッサ」としてラベル付けされた任意の機能ブロックを含む図に示された様々な要素の機能は、専用ハードウェアならびに適切なソフトウェアと関連してソフトウェアを実行することができるハードウェアの使用により提供されうる。機能は、プロセッサによって提供される場合、単一の専用プロセッサによって、単一の共有プロセッサによって、または複数の個々のプロセッサ（それらのうちのいくつかが共有されうる）によって提供されうる。さらに、「プロセッサ」という用語の明確な使用は、ソフトウェアを実行することができるハードウェアを排他的に指すと解釈されるべきではなく、限定はしないが、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するための読取り専用メモリ（ＲＯＭ）、ランダム・アクセス・メモリ（ＲＡＭ）、および不揮発性記憶装置を暗に含むことができる。従来のおよび／またはカスタムの他のハードウェアを含むこともできる。同様に、図に示されたいかなるスイッチも概念にすぎない。それらの機能は、プログラム論理の実施により、専用論理により、プログラム制御と専用論理との相互作用により、またはさらに手動で実行することができ、特定の技法が、文脈からより具体的に理解されるように、実施者によって選択可能である。
【００５８】
本明細書のいかなるブロック図も本発明の原理を具現化する例示的な回路の概念図を表すことを当業者なら理解するはずである。同様に、流れ図は、コンピュータ可読媒体中に実質的に表され、そこで、コンピュータまたはプロセッサによって、そのようなコンピュータまたはプロセッサが明確に示されているかどうかにかかわらず、実行されうる様々なプロセスを表すことが十分理解されよう。
【００５９】
当業者は、様々な上述の方法のステップが、プログラムされたコンピュータによって実行されうることを容易に認識されよう。本明細書において、いくつかの実施形態は、さらに、プログラム記憶デバイス、例えばデジタル・データ記憶媒体を包含することが意図され、プログラム記憶デバイスは、機械またはコンピュータ可読であり、命令の機械実行可能またはコンピュータ実行可能プログラムを符号化し、前記命令は、前記の上述の方法のステップの一部またはすべてを実行する。プログラム記憶デバイスは、例えば、デジタル・メモリ、磁気ディスクおよび磁気テープなどの磁気記憶媒体、ハード・ドライブ、または光学的に可読なデジタル・データ記憶媒体とすることができる。実施形態は、上述の方法の前記ステップを実行するようにプログラムされたコンピュータを包含することも意図される。
【図１】
2015527659.tif 000003
【図２】
2015527659.tif 000004
【国際調査報告】
2015527659.tif 000005
2015527659.tif 000006
2015527659.tif 000007